(57)【要約】【課題】簡素な構成で安価であり、簡単な操作で精度よく線路角度を測定することができる線路角度測定器を提供する。【解決手段】本発明の線路角度測定器１０は、開閉可能に接続された矩形のベースプレート１１とサブプレート１６により構成された基体と、ベースプレート１１の片面（測定面）に設けられた方位磁針１２と、方位磁針１２の回転中心と同軸上で回転するようにベースプレート１１の測定面に設けられた角度表示部材１３と、ベースプレート１１の測定面に設けられた水準器１４と、ベースプレート１１の測定面に設けられた鏡体１５と、サブプレート１６の自由端側の辺に設けられた筒体１７を備えている。鏡体１５または筒体１７は、測定時にベースプレート１１を電線に対して特定の位置に配置するために使用される。方位磁針１２が指示する角度表示部材１３の角度目盛りの角度により線路角度が測定される。【選択図】図１
2007278957.tif 000002
【特許請求の範囲】
【請求項１】
隣接する第１の電柱と第２の電柱との間に張り渡される電線と第２の電柱と第３の電柱との間に張り渡される電線とが成す線路角度を測定するための線路角度測定器であって、
測定時に上方に向けて配置される測定面を備えている基体と、
該基体の測定面に設けられており、測定時に略水平に配置される角度目盛りが同心円上に目盛られており、かつ該同心円の中心点に関して回転するようになっている角度表示部材と、
前記基体の測定面に設けられており、前記同心円の中心を回転中心とする、前記角度表示部材の角度目盛りを指示するための方位磁針と、
前記基体に設けられており、基体の位置合わせ用の基準線を有している、測定時に前記基準線と電線との間の水平角度が一定の値になるように前記基体を配置するための少なくとも１個の位置決め手段と、
を備えていることを特徴とする線路角度測定器。
【請求項２】
前記基体の測定面に、測定時の前記角度表示部材の角度目盛りの水平な配置を確保するための水準器が備えられていることを特徴とする、請求項１に記載の線路角度測定器。
【請求項３】
前記角度表示部材の角度目盛りの０°と１８０°を結ぶ線上に、前記角度表示部材を回転させて前記方位磁針がＮＳ極を向いたときの指針の先端と前記角度目盛りの０°および１８０°とを一致させるための角度基線が備えられていることを特徴とする、請求項１または２に記載の線路角度測定器。
【請求項４】
前記位置決め手段が前記基体の測定面上に配置された平坦な鏡体であり、該鏡体上に直線状の基準線が設けられており、測定時に前記鏡体に上方に位置する電線の鏡像を映して該鏡像を前記基準線と重ね合わせることにより、前記基準線と電線との間の水平角度が０°になる位置に前記基体が配置されるようになっていることを特徴とする、請求項１〜３のいずれか１項に記載の線路角度測定器。
【請求項５】
前記位置決め手段がスコープ状の筒体であり、
該筒体が、前記基体に固定された対物側筒体と、該対物側筒体に前記基体の測定面と垂直な方向に回動可能なように接続された接眼側筒体と、前記対物側筒体内と前記接眼側筒体内の少なくとも一方に設けられた、前記接眼側筒体を前記基体の測定面と垂直な方向に回動させたときに電柱像が前記接眼側筒体の接眼部から見えるようにするための反射部材または屈折部材とを備えており、
前記基準線が前記対物側筒体の軸線であり、測定時に隣接する電柱の間の一方の電柱の近傍の位置において前記接眼側筒体を覗いて他方の電柱に照準を合わせ、前記対物側筒体の軸線を電柱間を結ぶ水平な直線と平行に配置することにより、前記基準線と電線との間の水平角度が０°になる位置に前記基体が配置されるようになっていることを特徴とする、請求項１〜３のいずれか１項に記載の線路角度測定器。
【発明の詳細な説明】
【技術分野】
【０００１】
本発明は、隣接する第１の電柱と第２の電柱との間に張り渡される電線と第２の電柱と第３の電柱との間に張り渡される電線とが成す線路角度を測定するための線路角度測定器に関する。
【背景技術】
【０００２】
架空電線配線作業において、３本の電柱間に張り渡される電線によって形成される線路角度の測定が必要となる。図１３は、線路角度の意味を説明するための、隣接する第１の電柱と第２の電柱との間に張り渡される電線と第２の電柱と第３の電柱との間に張り渡される電線とを上方から見た概略的な平面図である。この図において、第１の電柱Ａ１に付設された腕金Ｂ１と第２の電柱Ａ２に付設された腕金Ｂ２との間に、電線Ｌの一区画にあたる電線Ｌ１が張り渡されており、第２の電柱Ａ２に付設された腕金Ｂ２と第３の電柱Ａ３に付設された腕金Ｂ３との間に、やはり電線Ｌの一区画にあたる電線Ｌ２が張り渡されている。電線Ｌ１の伸長方向に伸びる直線ａ１と電線Ｌ２の伸長方向に伸びる直線ａ２とが成す角度θが「線路角度」であり、新規な電柱および電線を設ける際または既存の電線に追加の電線を共架する際には、線路角度θに従って腕金の種類および電線支持方法が選択される（配電線路工事基準）。また、第１の電柱Ａ１と第２の電柱Ａ２とを結ぶ線ａ１´と第２の電柱Ａ２と第３の電柱Ａ３とを結ぶ線ａ２´とのなす角度θ´も線路角度θとほぼ同一の値であり、角度θ´も線路角度として考慮することができる。
【０００３】
この線路角度は、レーザー距離計等で図１３に示す３本の電柱の間の距離をそれぞれ計測し、計算により求めることができる。
【０００４】
また、特開平４−１４２４１９号公報（特許文献１）は、線路角度の測定に使用することができる、図１４に示す水平・鉛直度測定器を提案している。この測定器は、軸（３１ｃ）により回転可能に支持された指針（３１ａ）および重り（３１ｂ）を備えた鉛直指示片を、軸（３１ｃ）を中心に角度目盛り（３２ａ）を付したケース（３２）内に収容し、それぞれ長手方向に軸（３１ｃ）を通る中心基線（３３ａ，３４ａ）を引いた直線定規（３３，３４）をケース（３２）の両側に、一方はケース（３２）に固定して、他方は軸（３１ｃ）の周りに回動自在に取り付けている。線路角度を測定する際には、観測者が図１３の第２の電柱Ａ２の近傍の位置に立って、直線定規（３３，３４）の中心基線（３３ａ，３４ａ）を第２の電柱Ａ２から第１の電柱Ａ１および第３の電柱Ａ３へと伸びている電線Ｌ１、Ｌ２に視覚的に一致させ、中心基線（３３ａ，３４ａ）のなす角度を角度目盛り（３２ａ）により求めて、線路角度を算出する。
【０００５】
【特許文献１】特開平４−１４２４１９号公報
【発明の開示】
【発明が解決しようとする課題】
【０００６】
しかしながら、上述したレーザー距離計は精密機器であるため非常に高価（数百万円）であるうえ、その操作にも経験を必要としており、上述した線路角度を測定するための装置としては不向きである。
【０００７】
さらに、特許文献１の測定器を用いる場合には、電柱の電線取り付け位置から離れた地面に立っている観測者が直線定規（３３，３４）の中心基線（３３ａ，３４ａ）を電線Ｌ１、Ｌ２の伸長方向に視覚的に一致させるのが難しく、従って線路角度を精度よく測定することができない。
【０００８】
そこで、本発明の目的は、上記事情を考慮し、簡素な構成で安価であり、簡単な操作で精度よく線路角度を測定することができる線路角度測定器を提供することである。
【課題を解決するための手段】
【０００９】
上述の目的は、隣接する第１の電柱と第２の電柱との間に張り渡される電線と第２の電柱と第３の電柱との間に張り渡される電線とが成す線路角度を測定するための線路角度測定器であって、測定時に上方に向けて配置される測定面を備えている基体と、該基体の測定面に設けられており、測定時に略水平に配置される角度目盛りが同心円上に目盛られており、かつ該同心円の中心点に関して回転するようになっている角度表示部材と、上記基体の測定面に設けられており、上記同心円の中心を回転中心とする、上記角度表示部材の角度目盛りを指示するための方位磁針と、上記基体に設けられており、基体の位置合わせ用の基準線を有している、測定時に上記基準線と電線との間の水平角度が一定の値になるように上記基体を配置するための少なくとも１個の位置決め手段とを備えていることを特徴とする線路角度測定器によって達成される。
【００１０】
本発明において、「基準線と電線との間の水平角度」の語は、本発明の線路角度測定器を電線の下方の位置に基体の測定面が上方に向きかつ角度表示部材の角度目盛りが略水平になるように配置して基準線と電線とを電線の上方から真下に見下ろしたときに認められる基準線と電線（の伸長方向に伸びる直線）とが成す角度を意味する。本発明の線路角度測定器では、上記位置決め手段により、測定時に基準線と電線との間の水平角度が予め定められた一定の値（例えば、０°）になるように基体が配置される。
【００１１】
また、本発明において、「測定時に略水平に配置される角度目盛り」の語は、角度目盛りが測定時に完全に水平に配置されてもよく、方位磁針の自由な回転が妨げられない程度であれば水平面に対してわずかに傾いて配置されてもよいことを意味する。しかしながら、高精度の測定を行うには、角度目盛りが測定時に完全に水平に配置されるのが好ましく、このために、上記基体の測定面に測定時の上記角度表示部材の角度目盛りの水平な配置を確保するための水準器が備えられているのが好ましい。
【００１２】
上記角度表示部材の角度目盛りには０°〜１８０°を示す数値が付されていれば十分であり、０°−１８０°線に対して対称的に０°から１８０°に向かう角度数値が付されるのが一般的である。尚、「０」の文字の代わりに、北を示す「Ｎ」の文字が付されていてもよく、「１８０」の文字の代わりに、南を示す「Ｓ」の文字が付されていてもよい。
【００１３】
本発明において、測定時に基体の測定面を上方に向け、角度表示部材の角度目盛りを略水平に配置し、さらに基体の位置合わせ用の基準線を有する位置決め手段を用いて上記基準線と図１３の第１の電線Ｌ１（または第１の電柱Ａ１と第２の電柱Ａ２とを結ぶ水平な直線）との間の水平角度が予め定められた一定の値になるように基体を配置すると、基体の測定面に設けられた方位磁針が回転して指針の先端がＮＳ極を指す。この状態で、基体の測定面に回転可能なように設けられている角度表示部材を回転させて、指針の先端と角度目盛りの０°および１８０°（または「Ｎ」、「Ｓ」の文字）とを合わせる。次いで、同様に位置決め手段を用いて、上記基準線と図１３の第２の電線Ｌ２（または第２の電柱Ａ２と第３の電柱Ａ３とを結ぶ水平な直線）との間の水平角度が上述の一定の値になるように基体を配置し、方位磁針の指針が指す角度目盛りの角度を読み取ることにより、線路角度が測定される。
【００１４】
上記基体の形状は、測定時に上方に向けて配置される測定面が設けられていれば特に限定がなく、例えば、非磁性体の樹脂、木質材料、軽金属などにより構成された１枚の板体を基体とすることができるが、２枚の板体（ベースプレートとサブプレート）をヒンジ機構によりヒンジ軸線を中心に回転して開閉可能なように接続し、ベースプレートのサブプレート対向面を測定面とすることもできる。サブプレートは、測定面を保護する蓋体の役割を果たすことができる。
【００１５】
上記角度表示部材は、測定時に略水平に配置される角度目盛りが同心円上に目盛られており、かつ該同心円の中心点に関して回転するようになっていれば、その形状に特に限定がない。例えば、基体の測定面に環状の凹部を設け、この凹部にリング形状の角度表示部材を回転可能に収容してもよく、また全円分度器の形状の角度表示部材を基体の測定面上に設置してもよいが、角度表示部材が透明な頂面を有する扁平な円柱形の中空体として形成されており、上記方位磁針が該中空体の内部に挿入されており、上記中空体の内部に透明なオイルが封入されており、上記中空体の底面または頂面に上記角度目盛りが目盛られていると、オイルの抵抗により方位磁針のふらつきが抑制されるため、安定した高精度の測定を行うことができる。
【００１６】
また、全円分度器の形状の角度表示部材または中空体の角度表示部材の底面の角度目盛りの０°と１８０°とを結ぶ線上に、上記角度表示部材を回転させて上記方位磁針がＮＳ極を向いたときの指針の先端と上記角度目盛りの０°および１８０°を一致させるための角度基線（例えば、矢印記号の角度基線）が備えられていると、指針先端と角度目盛りの０°および１８０°（または「Ｎ」、「Ｓ」の文字）とを合わせる作業が、方位磁針と角度基線とを重ね合わせるという簡易な作業によって達成されるため、操作が容易になる。
【００１７】
上記位置決め手段として、上記基体の測定面上に配置された平坦な鏡体を使用することができる。但し、該鏡体上には、基体の位置合わせ用の基準線として作用する直線が、例えば印刷または貼り付けにより設けられている。測定時に上記鏡体に上方に位置する電線の鏡像を映して該鏡像を基準線としての直線と重ね合わせることにより、上記基準線と電線との間の水平角度が０°になる位置に上記基体が配置されることになる。鏡体としての位置決め手段は、隣接する電柱の間に存在する看板や塀などが妨害して一方の電柱から他方の電柱を見ることができない場合に好適に使用される。
【００１８】
また、上記位置決め手段として、スコープ状の筒体を使用することができる。この場合には、測定時の基体の位置合わせ用の基準線が上記筒体の軸線に相当する。測定時に隣接する電柱の間の一方の電柱の近傍の位置から上記筒体を覗いて他方の電柱に照準を合わせ、上記筒体の軸線を電柱間を結ぶ水平な直線と平行に配置することにより、上記基準線と電線との間の水平角度が０°になる位置に上記基体が配置されることになる。筒体としての位置決め手段は、電柱および電線の新設にあたり、未だ電線が電柱間に張り渡されていない状態のときの、今後配線されるべき電線の線路角度を測定するのに好適に使用される。
【００１９】
上記筒体は一本の管状体で構成してもよいが、上記基体に固定された対物側筒体と、該対物側筒体に上記基体の測定面と垂直な方向に回動可能なように接続された接眼側筒体と、上記対物側筒体内と上記接眼側筒体内の少なくとも一方に設けられた、上記接眼側筒体を上記基体の測定面と垂直な方向に回動させたときに電柱像が上記接眼側筒体の接眼部から見えるようにするための反射部材または屈折部材とを備えた筒体に構成しておくのが望ましい。この形態では、上記基準線は基体に固定された対物側筒体の軸線に相当する。観測者は、接眼側筒体を基体の測定面と垂直な方向に回動させた後、片方の目で接眼側筒体を覗いて電柱に照準を合わせる一方で、他方の眼で基体の測定面に設けられた角度目盛りおよび方位磁針を見ることができるようになるため、容易かつ迅速に測定を行うことができる。また、上記筒体の一端に電柱への照準合わせ用の指標が設けられていると、電柱への照準合わせが容易になり、さらに、筒体の接眼部に観測者の目を保護するためのパッドを設けておくと、線路角度の測定を安全に行うことができる。
【００２０】
本発明では、位置決め手段を２種以上有していてもよく、例えば上述の鏡体と筒体の両方を備えていてもよい。
【００２１】
基体における位置決め手段の配設位置は、線路角度の測定に支障のない範囲内で選択される。例えば、位置決め手段としての鏡体は、基体の測定面上の角度表示部材および存在する場合には水準器が設けられている領域以外の領域の全体に貼付されていてもよい。このとき鏡体上の基準線が方位磁針の回転中心を通りかつ存在する場合には水準器を通る直線として設けられていると、測定時に基体の位置合わせと角度表示部材の回転を行う操作を同時に行いやすいため好ましい。また、位置決め手段としての筒体は、例えば基体を矩形の板体により構成した場合には、矩形の板体の一辺に設けてもよく、また、基体をヒンジ機構を介して開閉可能なように接続された２枚の矩形の板体（ベースプレートとサブプレート）として構成した場合には、蓋体として機能するサブプレートの自由端側の辺に設けてもよい。この場合には、測定時におけるベースプレートとサブプレートの間の角度を所定角度、好ましくは垂直に固定する姿勢固定手段をベースプレートおよび／またはサブプレートに設けておくと、安定に線路角度の測定を行うことができ、また、閉成状態を維持するための開放阻止手段をベースプレートおよび／またはサブプレートに設けておくと、線路角度測定器の不使用時の無用な開放を阻止することができる。
【００２２】
上記基体の測定時に下方に向けて配置される面には、上記基体を支持する脚体を固定するためのホルダーを備えておくと、三脚等の脚体上に基体を保持させておくことができるため好ましい。この際、脚体固定用ホルダー、脚体固定用ホルダーと脚体との連結部分、脚体のいずれかにボールジョイント方式の角度可変機構を設けることにより、基体の水平状態を調節することができる。
【００２３】
また、本発明の線路角度測定器は、腕金の種類および電線支持方法の選択のため使用されるため、上記基体に線路角度と腕金種別または電線支持方法との関係が記入された確認シートが貼付されていると、線路角度の測定後にこの確認シートの記載に従って腕金種別または電線支持方法を選択して架空電線配線作業を継続することができるため好ましい。
【発明の効果】
【００２４】
本発明の線路角度測定器は簡素な構成であり安価に製造することができる上に、本発明の角度測定器によれば簡単な操作で精度よく線路角度を測定することができる。
【発明を実施するための最良の形態】
【００２５】
以下、本発明の実施形態について、図面を参照しながら詳細に説明する。
【００２６】
図１（Ａ）は、本発明の一実施形態における線路角度測定器の開放状態を示す斜視図、図１（Ｂ）は閉成状態を示す斜視図、図２は開成状態を示す正面図、図３は開成状態を示す側面図、図４は基体（ベースプレート）の断面図である。
【００２７】
図１〜図４において、線路角度測定器１０における基体は、ヒンジ機構（図示せず）によりヒンジ軸線を中心に回転して開閉可能に接続されたベースプレート１１およびサブプレート１６により構成されており、さらに線路角度測定器１０は、このベースプレート１１のサブプレート対向面（測定面）に設けられた方位磁針１２と、方位磁針１２の回転中心と同軸上で回転するようにベースプレート１１の測定面に設けられた角度表示部材１３と、ベースプレート１１の測定面に設けられた水準器１４と、ベースプレート１１の測定面に設けられた位置決め手段としての鏡体１５と、サブプレート１６の自由端側の辺に設けられた別の位置決め手段としての筒体１７を備えている。
【００２８】
ベースプレート１１およびサブプレート１６は、矩形の厚肉の非磁性体の木質材料、樹脂、軽金属等の板体により形成されている。ベースプレート１１の測定面は平坦になっており、測定面に角度表示部材１３と水準器１４とを収納する凹部１１ａ，１１ｂが形成されている。
【００２９】
ベースプレート１１とサブプレート１６の側辺には、その両者に跨る固定部材２４が取り付けられている。この固定部材２４は、３枚の非磁性体の金属の板材２４ａ、２４ｂ、２４ｃにより構成されており、板材２４ａの一端がサブプレート１６にピン２４ｄにより回転可能なように接続され、２枚の板材２４ｂ、２４ｃの一端がベースプレート１１にピン２４ｅにより回転可能なように接続されている。さらに、板材２４ａの他端が板材２４ｂ、２４ｃの他端に該板体２４ｂ、２４ｃにより比較的強い力で挟み込まれるようにピン２４ｆを用いて接続されており、観測者の力により板材２４ａを板材２４ｂ、２４ｃに対して回転させることができるものの、自然には回転しないようになっている。本実施の形態では、図１（Ａ）に示すように、ベースプレート１１とサブプレート１６が開成されて板材２４ａ、２４ｂ、２４ｃが直線的に並ぶと、ベースプレート１１とサブプレート１６の成す角度が約９０°に維持される。従って、本実施の形態では固定部材２４が姿勢固定手段として作用する。また、図１（Ｂ）に示すように、閉成状態では、板材２４ａ、２４ｂ、２４ｃがくの字状に曲がり、閉成状態が維持される。従って、固定部材２４は開放阻止手段としても作用する。
【００３０】
方位磁針１２は、Ｎ極（北）を指すことが可能な公知のものが用いられており、透明な頂面を有する扁平な円柱形の中空体の形状の角度表示部材１３内に挿入されている。角度表示部材１３は、凹部１１ａ内に、軸１３ａを中心に回転可能なように、かつベースプレート１１の測定面と角度表示部材１３の円形の底面１３ｂとが平行になるように収容されている。軸１３ａは方位磁針１２の回転中心でもある。角度表示部材１３の内部には透明なオイルが封入されており、方位磁針１２のふらつきが抑制されるようになっている。
【００３１】
角度表示部材１３の円形の底面１３ｂには、透明な頂面を通して視認可能な角度目盛り１３ｃが同心円上に付されている。この角度目盛りは、１°毎に刻まれており、５°単位と１０°単位で異なる刻みが施されている。また、Ｎ極を示す文字「Ｎ」の文字（数字の「０」でもよい。）と、このＮ極を示す「Ｎ」の文字から２０°単位で１８０°の数字がＮ（０°）−１８０°線に対して対称的に刻まれている。また、角度表示部材１３の底面１３ｂには、Ｎ極方向に先端を向けた矢印記号からなる角度基線１３ｄが、Ｎ（０°）−１８０°線上に設けられている。
【００３２】
水準器１４は、その中心に水泡が位置しているときにベースプレート１１（従ってまた角度表示部材１３の底面１３ｂの角度目盛り１３ｃ）が水平であることを示すもので、公知のものが用いられている。
【００３３】
鏡体１５は、ベースプレート１１の測定面に角度表示部材１３と水準器１４とが露出するように設けられており、シート状ミラー、ガラス状ミラー、金属薄膜塗装ミラー等の反射効率の高いものが使用されている。また、鏡体１５の表面には、角度表示部材１３と水準器１４とを跨ぎかつ方位磁針１２の回転中心を通る直線上に位置する基準線１５ａが設けられている。
【００３４】
サブプレート１６の自由端側の辺には、非磁性体の樹脂、金属等で構成されたスコープ状の筒体１７が設けられている。本実施の形態では、筒体１７は接眼側筒体１７Ａと対物側筒体１７Ｂの２つに分割されている。そして、以下に示すように、対物側筒体１７Ｂはサブプレート１６に固定されており、接眼側筒体１７Ａは角度表示部材１３の底面と垂直な方向に回動するように設けられている。図５は、筒体１７の要部の説明図である。
【００３５】
接眼側筒体１７Ａと対物側筒体１７Ｂとは、いずれも断面正方形で中空の形状を有しており、それぞれの一端側の側面には半円状の突出部が設けられている。そして、接眼側筒体１７Ａの側面間の距離が対物側筒体１７Ｂの側面間の距離よりわずかに小さく設定され、接眼側筒体１７Ａの半円状の突出部が対物側筒体１７Ｂ内に隙間なく挿入できるようになっている。そして、各筒体１７Ａ、１７Ｂの突出部には、後述する軸１７ｄを受容するための孔が設けられている。また、接眼側筒体１７Ａの他端には、観測者が目Ｅを添えると共にその目Ｅを保護する弾性材料からなるパッド１８が設けられており、対物側筒体１７Ｂの他端の内部には、透明体１９が設けられている。この透明体１９には十字の指標が印刷により設けられており、電柱への照準合わせをより容易且つ厳密に行うことができるようになっている。軸１７ｄの両端を除いた位置には、筒体１７内部に収容されるべき反射部材としての鏡体１７Ｃが固定されている。軸１７ｄの両端が、鏡体１７Ｃの鏡面が透明体１９の方を向くようにして接眼側筒体１７Ａの突出部の孔に挿入され、さらに対物側筒体１７Ｂの突出部の孔に挿入された後、軸１７ｄの端部が対物側筒体１７Ｂに固定される。従って、鏡体１７Ｃの鏡面は、対物側筒体１７Ｂの底面に対して一定の角度で固定されることになる。
【００３６】
さらに、接眼側筒体１７Ａとサブプレート１６の間には、両者に跨って上述の固定部材２４と同様の構成を有する筒体角度保持部材２５が設けられている。この筒体角度保持部材２５は、図５に示すように、筒体角度保持部材２５が直線的に伸びてもはや接眼側筒体１７Ａをそれ以上回動しない位置まで回動させたときに、対物側筒体１７Ｂの軸線と接眼側筒体１７Ａの軸線との成す角度が鏡体１７Ｃの鏡面と対物側筒体１７Ｂの底面との成す角度の２倍になるような長さに設定される。このように構成することにより、観測者が接眼側筒体１７Ａを角度表示部材１３の底面と垂直な方向に回動させ、接眼側筒体１７Ａのバット１８に眼を当てて覗くと、電柱像が接眼側筒体１７Ａの接眼部から見えるようになる。従って、例えば、左目で接眼側筒体１７Ａを覗いて電柱に照準を合わせるとともに、右目で角度表示部材１３や水準器１４を目視することができる。
【００３７】
一方、サブプレート１６の表裏には、観測者が測定された線路角度に基づき架空電線配線作業を進行させるために必要な事項が記載された確認シート２０，２１，２２，２３が貼付されている。
【００３８】
図６〜図９には、一例として、配電線路工事基準に基づく線路角度と腕金種別および電線支持方法との関係が記入された確認シート２０〜２３が示されている。この確認シート２０〜２３には、腕金の使用区分における線路角度毎の電線支持区分と電線サイズ（既存のＡＣＳＲ系電線線路）とその条数並びに装桂区分との関係（図６および図７）や、がいし使用区分における架空送電用電力線を電線線種とした場合の線路角度に対する使用する電線線路（既存のＡＣＳＲ系）サイズとの関係（図８および図９）が示されている。
【００３９】
次に、本発明の一実施の形態に係る線路角度測定器１０を用いた線路角度測定方法を図１０および図１１を参照しつつ説明する。尚、図１０における図１３の記号に対応する記号は、図１３における各記号と同じ意味を表わしている。
【００４０】
上記の構成において、観測者は、第１工程として、まず電柱Ａ１と電柱Ａ２との間の電線Ｌ１の下方に立ち、電柱Ａ１を背にして電柱Ａ２側を向く。この状態で、水準器１４を確認してベースプレート１１（従ってまた角度表示部材１３の底面１３ｂの角度目盛り１３ｃ）を水平に保ちつつ、鏡体１５に映る電線Ｌ１と基準線１５ａとを一致させる。
【００４１】
鏡体１５に映る電線Ｌ１と基準線１５ａとが一致したら、図１１（Ａ）に示すように、このときの方位磁針１２のＮ極側に角度目盛の「Ｎ」が一致するように角度表示部材１３を回転させる。この作業は、方位磁針１２と角度基線１３ｄとを重ね合わせることにより、迅速に行うことができる。
【００４２】
次に、観測者は、第２工程として、電柱Ａ２と電柱Ａ３との間の電線Ｌ２の下方に立ち、電柱Ａ２を背にして電柱Ａ３側を向く。この状態で、水準器１４を確認してベースプレート１１（従ってまた角度表示部材１３の底面１３ｂの角度目盛り１３ｃ）を水平に保ちつつ、鏡体１５に映る電線Ｌ２と基準線１５ａとを一致させる。
【００４３】
鏡体１５に映る電線Ｌ２と基準線１５ａとが一致したら、図１１（Ｂ）に示すように、このときの方位磁針１２のＮ極側先端が示した角度目盛り１３ｃの角度を読み取る。この際、矢印記号の角度基線１３ｄの先端が角度目盛の「Ｎ」字方向を向いているため、「Ｎ」字の位置を容易に確認することができる。
【００４４】
図１０には、電線Ｌ１および電線Ｌ２上に、第１工程および第２工程における角度表示部材１３の底面１３ｂおよび方位磁針１２が示されている。いずれの工程においても方位磁針１２のＮ極側は同一の方向を向くため、第１工程において角度表示部材１３を回転させた後の角度目盛り１３ｃの角度（Ｎ（０°））と第２工程における方位磁針１２のＮ極側が指す角度の差、すなわち第２工程において方位磁針１２のＮ極側が指す角度の値が、線路角度θを表わすことになる。
【００４５】
尚、角度表示部材１３は、方位磁針１２のＮ極側に角度目盛の「１８０」が一致するように回転させてもよい。
【００４６】
また、筒体１７を使用して線路角度を測定することもできる。この場合には、観測者は、第１工程として、電柱Ａ１と電柱Ａ２の間に立ち、電柱Ａ１の直近から電柱Ａ１を背にして電柱Ａ２側を向く。その状態で、水準器１４を確認してベースプレート１１を水平に保ちつつ、筒体１７の接眼側筒体１７Ａを角度表示部材１３の底面と垂直な方向にもはや回動しなくなる位置まで回動させ、接眼側筒体１７Ａのパット１８に眼を当てて筒体を覗き、対物側筒体１７Ｂに設けられた透明体１９の十字の指標を利用して電柱Ａ２に照準を合わせ、対物側筒体１７Ｂの軸線の方向を電柱Ａ１，Ａ２を結ぶ線ａ１´の方向に合わせる。電柱Ａ２への照準合わせが完了したら、このときの方位磁針１２のＮ極側に角度目盛の「Ｎ」が一致するように角度表示部材１３を回転させる。
【００４７】
次に、観測者は、第２工程として、電柱Ａ２と電柱Ａ３の間に立ち、電柱Ａ２の直近から電柱Ａ２を背にして電柱Ａ３側を向く。その状態から、水準器１４を確認してベースプレート１１を水平に保ちつつ接眼側筒体１７Ａを覗いて電柱Ａ３に照準を合わせ、対物側筒体１７Ｂの軸線の方向を電柱Ａ２，Ａ３を結ぶ線ａ２´の方向に合わせる。電柱Ａ３への照準合わせが完了したら、このときの方位磁針１２のＮ極側先端が示した角度目盛り１３ｃの角度を読み取って線路角度θを特定する。
【００４８】
尚、上述の工程において、第１工程と第２工程は同一の位置決め手段（鏡体１５、筒体１７）を用いて行う必要はなく、それぞれの工程において鏡体１５と筒体１７のいずれかを用いればよい。電柱間に例えば看板や塀などが飛び出しているため筒体１７から電柱を覗きこむことができない場合には、鏡体１５が使用され、電線が未だ存在していない場合には筒体１７が使用される。
【００４９】
線路角度θが特定できたら、例えば、高圧電線か低圧電線かの違いや耐塩地区（沿岸地区）か否かの環境は予め特定できているので、がいしの使用区分等を確認シート２０〜２３により特定することができる。
【００５０】
以下、本発明の一実施の形態について説明したが、本発明はこの実施の形態に限定されず、本発明の趣旨を逸脱しない範囲内での変更が可能である。例えば、基体をヒンジ機構により接続されたベースプレートとサブプレートにより構成する必要はなく、１枚の板体で構成してもよい。また、位置決め手段として鏡体と筒体とのいずれか一方を備えていてもよいが、両方を備えていた方が利便性がよい。さらにベースプレートとサブプレートとを開閉可能とするヒンジ機構は、ベースプレートとサブプレートとを一体成形した薄肉ヒンジでもよいし、所謂蝶番による連結でもよい。
【００５１】
また、筒体は接眼側筒体と対物側筒体とに分割せずに１本の筒体に構成してもよく、筒体を分割して構成した場合には、反射部材としての鏡体の代わりに屈折部材を対物側筒体内および接眼側筒体内の少なくとも１方に設けてもよい。また、筒体の接眼側に接眼レンズを設けると共に筒体の対物側に対物レンズを設け、一定の光学倍率（例えば２倍）に設定することも可能である。さらに、これらのレンズを設けた状態で筒体を伸縮可能とし、光学倍率を変化させることができるズーム方式を採用することも可能である。
【００５２】
さらに、図１２に示すように、ベースプレート１１の測定面の凹部１１ｂ中に水準器１４を備え、凹部１１ａ中に方位磁針１２および角度表示部材１３を備え、さらに鏡体１５を備え、さらに測定面の裏面に、三脚等の先端（例えば、ボールジョイント方式のボール部）２７と係合する脚体固定用ホルダー２６を設け、三脚等の脚体上にベースプレート１１を保持させ、作業性を向上させることも可能である。この際、筒体を用いた場合には、上述した分割方式の筒体を用いた方が、より一層操作性が向上される。また、上述した例では、脚体固定用ホルダー２６とその連結部分にボールジョイント方式を採用したものを開示したが、脚体固定用ホルダーを二分割してその間にボールジョイント方式の角度可変機構を設けてもよいし、三脚自体にボールジョイント方式あるいは二次元組み合わせの角度可変機構等を設けてもよい。
【図面の簡単な説明】
【００５３】
【図１】図１は本発明の一実施形態に係る線路角度測定器を示し、（Ａ）は開放状態の線路角度測定器の斜視図、（Ｂ）は閉成状態の線路角度測定器の斜視図である。
【図２】図１に示す実施形態に係る線路角度測定器の正面図である。
【図３】図１に示す実施形態に係る線路角度測定器の側面図である。
【図４】図１に示す実施形態に係る線路角度測定器に用いられる基体の断面図である。
【図５】図１に示す実施形態に係る線路角度測定器に用いられる筒体の要部の説明図である。
【図６】図１に示す実施形態に係る線路角度測定器に用いられる確認シートの説明図である。
【図７】図１に示す実施形態に係る線路角度測定器に用いられる確認シートの説明図である。
【図８】図１に示す実施形態に係る線路角度測定器に用いられる確認シートの説明図である。
【図９】図１に示す実施形態に係る線路角度測定器に用いられる確認シートの説明図である。
【図１０】図１に示す実施形態に係る線路角度測定器を用いた線路角度測定手順の説明図である。
【図１１】図１に示す実施形態に係る線路角度測定器を用いた線路角度測定時の方位磁針と角度目盛との関係を示し、（Ａ）は第１の電柱と第２の電柱の間に張り渡される電線の線路確認時の要部の正面図、（Ｂ）は第２の電柱と第３の電柱の間に張り渡される電線の線路確認時の要部の正面図である。
【図１２】本発明の別の実施形態に係る線路角度測定器の基体の断面図である。
【図１３】隣接する電柱とその間に張り渡される電線とを上方から見た概略的な平面図である。
【図１４】従来の角度測定器を示す概略図である。
【符号の説明】
【００５４】
Ａ１，Ａ２，Ａ３    電柱
Ｂ１，Ｂ２，Ｂ３    腕金
Ｌ，Ｌ１，Ｌ２      電線
１０  線路角度測定器
１１  ベースプレート
１２  方位磁針
１３  角度表示部材
１４  水準器
１５  鏡体
１６  サブプレート
１７  筒体
１７Ａ  接眼側筒体
１７Ｂ  対物側筒体
１７Ｃ  鏡体（反射部材）
１８  パッド
１９  透明体
２０〜２３  確認シート
２４  固定部材（姿勢固定手段、開放阻止手段）
２５  筒体角度保持部材
２６  脚体固定用ホルダー
【図１】
2007278957.tif 000003
【図２】
2007278957.tif 000004
【図３】
2007278957.tif 000005
【図４】
2007278957.tif 000006
【図５】
2007278957.tif 000007
【図６】
2007278957.tif 000008
【図７】
2007278957.tif 000009
【図８】
2007278957.tif 000010
【図９】
2007278957.tif 000011
【図１０】
2007278957.tif 000012
【図１１】
2007278957.tif 000013
【図１２】
2007278957.tif 000014
【図１３】
2007278957.tif 000015
【図１４】
2007278957.tif 000016